(57)【要約】【課題】周囲に他の構造物や遮蔽物が存在しても、ノブの操作が阻害されず、詰まったカードを容易に排出することができるカード処理装置を提供する。【解決手段】詰まりの生じたカードＣを手動操作により強制的に排出するためのノブ２１が、筐体１の背面１ａからｚだけ突出するように設けられている。ノブ２１は、回転軸４４に直結されていて、搬送ローラ３４と連動しており、また、ベルトＢ２を介して搬送ローラ３１〜３３とも連動している。ノブ２１を回転させると、搬送ローラ３１〜３４が回転し、詰まったカードＣをカード挿入口２ａから外部へ排出する。【選択図】図１
2010275077.tif 000002
【特許請求の範囲】
【請求項１】
カードを搬送する搬送手段と、
前記搬送手段により搬送されるカードに記録されている情報を読み取る読取手段と、
前記搬送手段および読取手段を内蔵した筐体と、
前記搬送手段と連動して設けられ、前記筐体内で詰まりの生じたカードを手動操作により強制的に排出するためのノブと、を備えたカード処理装置において、
前記ノブを、前記筐体の上面、下面、前面および背面の少なくとも１つの面から突出するか、または当該面と同一面となるように設けたことを特徴とするカード処理装置。
【請求項２】
請求項１に記載のカード処理装置において、
前記ノブが、前記搬送手段を構成する搬送ローラの回転軸に直結されていることを特徴とするカード処理装置。
【請求項３】
請求項１に記載のカード処理装置において、
前記ノブが、前記搬送手段を構成する搬送ローラの回転軸に動力伝達部材を介して連結されていることを特徴とするカード処理装置。
【請求項４】
請求項１に記載のカード処理装置において、
前記ノブの突出量が、当該ノブの直径の２分の１以下であることを特徴とするカード処理装置。
【請求項５】
請求項１に記載のカード処理装置において、
前記ノブを複数個設け、各ノブが前記筐体の異なる面から突出するか、または当該面と同一面となるようにしたことを特徴とするカード処理装置。
【請求項６】
請求項１に記載のカード処理装置において、
前記ノブに、当該ノブの径方向へスライドしてノブから突出するレバーを設けたことを特徴とするカード処理装置。
【請求項７】
請求項６に記載のカード処理装置において、
前記レバーは、前記ノブから互いに反対方向へ突出する一対のレバーからなることを特徴とするカード処理装置。
【発明の詳細な説明】
【技術分野】
【０００１】
本発明は、カードに記録されている情報を読み取って所定の処理を行うカード処理装置に関し、特に、装置内部で詰まりを起こしたカードを手動操作によって排出するための機構に関する。
【背景技術】
【０００２】
磁気カードリーダやＩＣカードリーダなどのカード処理装置においては、反りや欠損のある変形カードが使用される場合がある。このようなカードの中には、変形の程度が著しくて搬送機構によって正常に搬送できないものもあり、それらは装置内部において詰まり（ジャム）を起こす。そこで、詰まりが発生した場合に、詰まったカードを取り除くための手段が必要となる。
【０００３】
下記の特許文献１には、詰まりの生じたカードを手動操作により排出するためのノブを設けたカード処理装置が記載されている。この装置では、搬送ローラに脈動を軽減するためのフライホイールを設け、このフライホイールが、詰まったカードを手動で排出するためのノブを兼ねる構成としている。このようなノブを設けることにより、装置内部でカードが詰まった場合でも、ノブを手動で回転させて搬送ローラを強制駆動することにより、カードを外部へ排出することができる。
【先行技術文献】
【特許文献】
【０００４】
【特許文献１】特開平５−１２８７１７号公報
【発明の概要】
【発明が解決しようとする課題】
【０００５】
しかしながら、カード処理装置が搭載される機器によっては、カード処理装置の周辺に他の構造物や遮蔽物などが存在して、上述したノブの操作が困難になる場合がある。これを金融機関等に設置されるＡＴＭ（現金自動預払機）に内蔵されるカード処理装置を例にとって説明する。
【０００６】
図９は、ＡＴＭに内蔵されたカード処理装置の周辺を示す概略図であって、（ａ）は上面図、（ｂ）は正面図である。カード処理装置２００は、通帳印字装置３００と並んでフレーム４００の上に設置されている。２０１はカード処理装置２００の前面に設けられたインレット（カード挿入部）、２０２はカード処理装置２００の側面に設けられたノブである。
【０００７】
図９に示されるように、ＡＴＭにおいては、カード処理装置２００に隣接して通帳印字装置３００などの他の装置が配置されることが多い。この場合、カード処理装置２００と通帳印字装置３００との間のスペースが狭いため、カード処理装置２００の側面に配置したノブ２０２を直接手で触ることは難しい。そこで、従来は、図１０に示されるように、カード処理装置２００を矢印Ａ方向へ引き出すことによって、ノブ２０２の手動操作が行えるようにしていた。しかし、これではカード処理装置２００を引き出す必要があり、係員の作業が煩雑となる。
【０００８】
また、ノブ２０２の形状（直径）は、カード処理装置２００の外形内に収まるものが一般的であり、ノブ２０２の配置位置によっては小径とならざるを得ない場合がある。ところが、カードの詰まり具合によっては、ノブ２０２を操作する際に非常に大きな回転トルクが必要となることがあり、この場合には、ノブ２０２の径が小さいと操作が困難となる。
【０００９】
本発明は、上述した問題点に鑑み、周囲に他の構造物や遮蔽物が存在しても、ノブの操作が阻害されず、詰まったカードを容易に排出することができるカード処理装置を提供することを目的とする。
【００１０】
本発明の他の目的は、ノブの径が小径であっても、小さな操作力で大きな回転トルクを発生させてカードを確実に排出することが可能なカード処理装置を提供することにある。
【課題を解決するための手段】
【００１１】
本発明は、カードを搬送する搬送手段と、この搬送手段により搬送されるカードに記録されている情報を読み取る読取手段と、これらの搬送手段および読取手段を内蔵した筐体と、搬送手段と連動して設けられ、筐体内で詰まりの生じたカードを手動操作により強制的に排出するためのノブとを備えたカード処理装置において、ノブを、筐体の上面、下面、前面および背面の少なくとも１つの面から突出するか、または当該面と同一面となるように設けたものである。
【００１２】
このような構成としたことで、カード処理装置の周囲に他の構造物や遮蔽物が存在しても、ノブを直接手で触ることができるため、ノブの操作が阻害されず、装置内部で詰まったカードを容易に排出することができる。また、図１０のようにカード処理装置を引き出す必要がないので、係員がカード詰まりの除去を行う際の作業が簡単となる。
【００１３】
ノブは、搬送手段を構成する搬送ローラの回転軸に直結されていてもよいし、搬送ローラの回転軸に動力伝達部材を介して連結されていてもよい。前者の場合は、機構が簡略化され、後者の場合は、ノブを設ける位置に自由度を持たせることができる。ノブの突出量は、当該ノブの直径の２分の１以下であることが好ましい。また、ノブを複数個設け、各ノブが筐体の異なる面から突出するか、または当該面と同一面となるようにすることで、複数の方向からの操作を可能としてもよい。
【００１４】
本発明において、ノブには、径方向へスライドしてノブから突出するレバーを設けることが推奨される。このようなレバーを設けると、詰まったカードを排出する際に、ノブから突出したレバーを介してノブを回転させることで、小さな操作力で大きな回転トルクを発生させることができる。このため、大径のノブを回した時と同様の大きな搬送力がカードに付与され、詰まったカードを確実に排出できるので、係員の負荷を低減させることができる。このレバーは、例えば、ノブから互いに反対方向へ突出する一対のレバーから構成することができる。
【発明の効果】
【００１５】
本発明によれば、カード処理装置の周囲に他の構造物や遮蔽物が存在しても、ノブの操作が阻害されず、詰まったカードを容易に排出することができる。
【００１６】
また、ノブに径方向へスライドして突出するレバーを設ければ、ノブの径が小径であっても、小さな操作力で大きな回転トルクを発生させてカードを確実に排出することが可能となる。
【図面の簡単な説明】
【００１７】
【図１】本発明の第１実施形態に係るカード処理装置を示す図である。
【図２】ノブの詳細構造を示した図である。
【図３】ノブに設けられたレバーの動作を説明する図である。
【図４】レバーのロック機構を示す図である。
【図５】本発明の第２実施形態に係るカード処理装置を示す図である。
【図６】本発明の第３実施形態に係るカード処理装置を示す図である。
【図７】本発明の第４実施形態に係るカード処理装置を示す図である。
【図８】ノブの他の例を示した図である。
【図９】ＡＴＭに内蔵されたカード処理装置の周辺を示す概略図である。
【図１０】カード処理装置を引き出した状態を示した図である。
【発明を実施するための形態】
【００１８】
以下、本発明の実施形態について説明する。図１は、第１実施形態に係るカード処理装置を示しており、（ａ）は側面図、（ｂ）は上面図、（ｃ）は正面図である。カード処理装置１００は、例えばＡＴＭに搭載されるものであって、筐体１と、筐体１の前面に設けられたインレット（カード挿入部）２とを備えている。筐体１の内部には、搬送ローラ３１〜３４、モータＭ、磁気ヘッド８、ＩＣコンタクトユニット９、搬送ガイド５〜７が収容されている。インレット２には、カードＣが挿入されるカード挿入口２ａが設けられている。搬送ローラ３１〜３４およびモータＭは、本発明における搬送手段の一実施形態を構成する。また、磁気ヘッド８およびＩＣコンタクトユニット９は、本発明における読取手段の一実施形態を構成する。
【００１９】
図１（ａ）に示すように、搬送ローラ３１〜３４は、それぞれ、カード搬送路１０を挟んで、上下に一対ずつ設けられている。搬送ローラ３１、３２間の距離と、搬送ローラ３２、３４間の距離は、いずれもカードＣの長さ（例えば８５．６ｍｍ）より若干短くなっている。下側の搬送ローラ３１〜３４は、図１（ｂ）に示すように、回転軸４１〜４４の一端に支持されている。回転軸４１〜４４の他端には、それぞれプーリー５１〜５４が設けられている。回転軸４３には、さらに大径のプーリー５５が連結されている。このプーリー５５と、モータＭの回転軸に設けられたプーリー５６との間には、動力伝達部材であるベルトＢ１が架設されている。また、プーリー５１〜５４は、同じく動力伝達部材であるベルトＢ２により連結されている。
【００２０】
プーリー５４の外側には、筐体１内で詰まりの生じたカードＣを手動操作により強制的に排出するためのノブ２１が同軸に設けられている。このノブ２１は、回転軸４４に直結されていて、下側の搬送ローラ３４と連動しており、また、ベルトＢ２を介して下側の搬送ローラ３１〜３３とも連動している。したがって、モータＭが停止している状態で、ノブ２１を手で回転させると、下側の搬送ローラ３１〜３４は、ノブ２１の回転方向と同じ方向へ回転する。ノブ２１の詳細については後述する。
【００２１】
モータＭが回転すると、ベルトＢ１を介してプーリー５５が回転し、プーリー５３も回転する。プーリー５３の回転により回転軸４３が回転して、下側の搬送ローラ３３が回転する。また、プーリー５３の回転力は、ベルトＢ２を介してプーリー５１、５２、５４に伝達され、これらのプーリーの回転によって回転軸４１、４２、４４が回転し、下側の搬送ローラ３１、３２、３４が回転する。一方、上側の搬送ローラ３１〜３４は駆動源を持たない従動ローラであり、下側の搬送ローラ３１〜３４に追従して回転する。
【００２２】
搬送ガイド５、６は、カード搬送路１０を挟んで対向して設けられており、搬送ローラ３１、３２により搬送されるカードＣを案内する。搬送ガイド７は、カード搬送路１０の下側に設けられており、搬送ローラ３３、３４により搬送されるカードＣを案内する。
【００２３】
磁気ヘッド８は、カード搬送路１０の下側に設けられており、カードＣの磁気ストライプに記録されている情報を読み取り、また、カードＣの磁気ストライプに情報を記録する。ＩＣコンタクトユニット９は、カード搬送路１０の上側に設けられており、カードＣのＩＣチップに記録されている情報を読み取り、また、カードＣのＩＣチップに情報を記録する。なお、図１（ｂ）では、磁気ヘッド８、ＩＣコンタクトユニット９、および搬送ガイド５〜７の図示を省略している。
【００２４】
図１（ａ）に示されるように、ノブ２１は、筐体１の背面１ａからｚの寸法だけ突出するように設けられている。ｚの値は任意であるが、例えば、ノブ２１の直径の１／８〜１／４程度に設定される。なお、ノブ２１が必要以上に突出しないようにするために、ｚの値はノブ２１の直径の１／２以下であることが好ましい。ノブ２１には、以下で説明する径方向へスライド自在な一対のレバー２２、２３が備わっている。また、ノブ２１の外周には、手で操作がしやすいように、ギヤ状の凹凸が形成されている。
【００２５】
図２は、ノブ２１の詳細構造を示した図であって、（ａ）は側面図、（ｂ）は正面図である。ノブ２１には、スライド溝２７が形成されているとともに、このスライド溝２７と連通してガイド溝２８ａ、２８ｂが形成されている。また、レバー２２には、フック部２２ａおよびガイド突起２２ｂが形成されており、レバー２３には、フック部２３ａおよびガイド突起２３ｂが形成されている。レバー２２、２３は、同じ形状となっている。なお、ノブ２１とレバー２２、２３は、ともに合成樹脂やゴムなどの弾性を有する材料から形成されている。
【００２６】
レバー２２は、ガイド突起２２ｂがノブ２１のガイド溝２８ａに嵌合した状態でスライド溝２７に収納され、レバー２３は、ガイド突起２３ｂがノブ２１のガイド溝２８ｂに嵌合した状態でスライド溝２７に収納されている。なお、スライド溝２７の溝幅は、レバー２２、２３のそれぞれの幅の合計よりわずかに小さい寸法となっているため、レバー２２、２３は、圧接状態でスライド溝２７に保持されている。この状態では、図２（ｂ）のように、レバー２２、２３はノブ２１から径方向へ突出していない。また、ガイド溝２８ａ、２８ｂとガイド突起２２ｂ、２３ｂとの嵌合により、レバー２２、２３が図２（ａ）の矢印Ｂ方向へ抜けるのが阻止される。
【００２７】
図３は、レバー２２、２３を左右にスライドさせて、ノブ２１から互いに反対方向へ突出させた状態を示している。レバー２２は、フック部２２ａに指を掛けて径方向（矢印Ｃ方向）へスライドさせることにより、ノブ２１から突出する。同様に、レバー２３は、フック部２３ａに指を掛けて径方向（矢印Ｄ方向）へスライドさせることにより、ノブ２１から突出する。図３の状態においては、レバー２２とレバー２３とは、次に述べるロック機構によりロックされ、ノブ２１から離脱しないようになっている。
【００２８】
図４は、レバー２２、２３のロック機構を示す図である。図４（ａ）のように、レバー２２には凹部２２ｃが設けられており、レバー２３には凸部２３ｃが設けられている。そして、凹部２２ｃに凸部２３ｃが嵌合することによって、レバー２２、２３は相互にロックされる。また、図４（ｂ）のように、レバー２２、２３の端部にスリット２２ｄ、２３ｄを設け、凹部２２ｃと凸部２３ｃとの非嵌合時に、レバー端部が容易に変形できるようにしてもよい。
【００２９】
次に、上述した構造からなるカード処理装置１００の動作について説明する。図１において、インレット２のカード挿入口２ａからカードＣが挿入されると、図示しないセンサがカードＣの挿入を検知し、この検知信号に基づいて、モータＭが正転方向（カードＣを取り込む方向）へ回転する。モータＭの回転力は、上述したように、ベルトＢ１を介してプーリー５５、５３に伝達され、さらに、ベルトＢ２を介してプーリー５１、５２、５４に伝達される。このため、モータＭが回転すると、プーリー５１〜５４の回転によって、回転軸４１〜４４を介して下側の搬送ローラ３１〜３４が回転するので、カードＣは、搬送ガイド５〜７で案内されながら、搬送ローラ３１〜３４間を搬送される。この過程で、磁気ヘッド８およびＩＣコンタクトユニット９により、カードＣに対して情報の読み取り／書き込みが行われ、所定の処理が実行される。処理が終了すると、モータＭが逆転方向（カードＣを返却する方向）へ回転し、カードＣは搬送ローラ３１〜３４によって搬送されてカード挿入口２ａへ返却される。
【００３０】
ここで、取り込まれたカードＣが反りや欠損のある変形カードであった場合、その変形の程度が大きいと、カード搬送路１０においてカードＣの詰まり（ジャム）が発生する。このようなカード詰まりは、図示しないセンサ等により検出され、カード詰まりの発生が検知されると、モータＭは回転を停止する。そして、カード処理装置１００から上位装置（例えばＡＴＭ）へエラーメッセージが送られ、係員による対応が行われる。
【００３１】
係員は、詰まったカードＣを外部へ排出するために、ノブ２１を手で操作する。すなわち、図１において、ノブ２１を時計回り方向へ回転させると、ノブ２１が連結されている回転軸４４を介して、下側の搬送ローラ３４が時計回り方向へ回転する。同時に、ノブ２１の回転力がベルトＢ２を介して、プーリー５１〜５３へ伝達され、プーリー５１〜５３の回転によって、回転軸４１〜４３を介して下側の搬送ローラ３１〜３３が時計回り方向へ回転する。したがって、ノブ２１の回転により、全ての下側の搬送ローラ３１〜３４が回転するので、カードＣがカード搬送路１０のどの位置で詰まっても、搬送ローラ３１〜３４によりカードＣをカード挿入口２ａから外部へ排出することができる。
【００３２】
この場合、ノブ２１は筐体１の背面１ａからｚだけ突出しているので、カード処理装置１００の周囲に他の構造物や遮蔽物が存在しても、ノブ２１を直接手で触ることができるため、ノブ２１の操作が阻害されず、筐体１の内部で詰まったカードＣを容易に排出することができる。また、カード処理装置１００を引き出す必要がないので、係員がカード詰まりの除去を行う際の作業が簡単となる。
【００３３】
ところで、カードＣの詰まり具合によっては、ノブ２１に非常に大きな回転トルクを与えないと、搬送ローラ３１〜３４が回転しない場合がある。しかるに、ノブ２１の直径が小さいと、大きな回転トルクを発生させるのは難しい。このような場合は、図３で示したように、ノブ２１に設けられているレバー２２、２３を径方向Ｃ、Ｄへスライドしてノブ２１から突出させ、レバー２２、２３に手を掛けてノブ２１を回転させることにより、てこの原理に基づき、小さな操作力でノブ２１に大きな回転トルクを発生させることができる。このため、大径のノブを回した時と同様の大きな搬送力がカードＣに付与され、詰まったカードＣを確実に排出できるので、係員の負荷を低減させることができる。
【００３４】
また、上述した第１実施形態のカード処理装置１００では、ノブ２１が下側の搬送ローラ３４の回転軸４４に直結されているので、ノブ２１の回転を回転軸４４に伝達するためのベルトやプーリー等の動力伝達部材が不要となり、機構が簡略化される。
【００３５】
図５は、第２実施形態に係るカード処理装置を示しており、（ａ）は側面図、（ｂ）は上面図、（ｃ）は正面図である。図５において、図１と同一の部分または対応する部分には、図１と同じ符号を付してある。
【００３６】
図５（ａ）に示すように、第２実施形態では、ノブ２１が、筐体１の上面１ｂからｚの寸法だけ突出するように設けられている。ｚの値については、第１実施形態の場合と同じである。また、ノブ２１の構造も、図２に示したものと同じである。ノブ２１には、プーリー２４が同軸に設けられている。また、下側の搬送ローラ３４の回転軸４４には、プーリー５４とともにプーリー２５が連結されている。そして、プーリー２４とプーリー２５との間には、ベルトＢ３が架設されている。したがって、ノブ２１は、プーリー２４、２５およびベルトＢ３からなる動力伝達部材を介して回転軸４４に連結されている。
【００３７】
このため、モータＭが停止している状態で、ノブ２１を手で回転させると、その回転力がプーリー２４からベルトＢ３を介してプーリー２５へ伝達され、プーリー２５の回転によって、下側の搬送ローラ３４が回転する。また、プーリー２５が回転することで、プーリー５４も回転するので、プーリー５４の回転がベルトＢ２を介してプーリー５１〜５３へ伝達され、下側の搬送ローラ３１〜３３が回転する。したがって、ノブ２１の回転により、全ての下側の搬送ローラ３１〜３４が回転するので、カードＣがカード搬送路１０のどの位置で詰まっても、搬送ローラ３１〜３４によりカードＣをカード挿入口２ａから外部へ排出することができる。
【００３８】
この第２実施形態では、ノブ２１が筐体１の上面１ｂからｚだけ突出しているので、第１実施形態と同様に、カード処理装置１００の周囲に他の構造物等が存在する場合でも、ノブ２１の操作が阻害されず、また、カード処理装置１００を引き出すことなく、詰まったカードＣを容易に排出することができる。
【００３９】
さらに、第１実施形態と同様に、ノブ２１のレバー２２、２３をスライドしてノブ２１から突出させることにより、小さな操作力でノブ２１に大きな回転トルクを発生させることができ、詰まったカードＣを確実に排出することができる。
【００４０】
また、第２実施形態のカード処理装置１００では、ノブ２１が、動力伝達部材であるベルトＢ３等を介して、回転軸４４と連結されているので、回転軸４４にノブ２１を直結する場合に比べて、ノブ２１を設ける位置に自由度を持たせることができる。
【００４１】
図６は、第３実施形態に係るカード処理装置を示しており、（ａ）は側面図、（ｂ）は上面図、（ｃ）は正面図である。図６において、図５と同一の部分または対応する部分には、図５と同じ符号を付してある。
【００４２】
図５の場合は、ノブ２１が筐体１の後方（カード挿入口２ａから遠い側）に設けられていたが、図６では、ノブ２１が筐体１の前方（カード挿入口２ａに近い側）に設けられている。図６（ａ）に示すように、第３実施形態でも、ノブ２１が、筐体１の上面１ｂからｚの寸法だけ突出するように設けられている。ｚの値については、第１実施形態の場合と同じである。また、ノブ２１の構造も、図２に示したものと同じである。ノブ２１には、プーリー２４が同軸に設けられている。また、下側の搬送ローラ３１の回転軸４１には、プーリー５１とともにプーリー２６が連結されている。そして、プーリー２４とプーリー２６との間には、ベルトＢ４が架設されている。したがって、ノブ２１は、プーリー２４、２６およびベルトＢ４からなる動力伝達部材を介して回転軸４１に連結されている。
【００４３】
このため、モータＭが停止している状態で、ノブ２１を手で回転させると、その回転力がプーリー２４からベルトＢ４を介してプーリー２６へ伝達され、プーリー２６の回転によって、下側の搬送ローラ３１が回転する。また、プーリー２６が回転することで、プーリー５１も回転するので、プーリー５１の回転がベルトＢ２を介してプーリー５２〜５４へ伝達され、下側の搬送ローラ３２〜３４が回転する。したがって、ノブ２１の回転により、全ての下側の搬送ローラ３１〜３４が回転するので、カードＣがカード搬送路１０のどの位置で詰まっても、搬送ローラ３１〜３４によりカードＣをカード挿入口２ａから外部へ排出することができる。
【００４４】
この第３実施形態の場合も、ノブ２１が筐体１の上面１ｂからｚだけ突出しているので、第２実施形態と同様に、カード処理装置１００の周囲に他の構造物等が存在する場合でも、ノブ２１の操作が阻害されず、また、カード処理装置１００を引き出すことなく、詰まったカードＣを容易に排出することができる。
【００４５】
さらに、第２実施形態と同様に、ノブ２１のレバー２２、２３をスライドしてノブ２１から突出させることにより、小さな操作力でノブ２１に大きな回転トルクを発生させることができ、詰まったカードＣを確実に排出することができる。
【００４６】
また、ノブ２１が、動力伝達部材であるベルトＢ４等を介して、回転軸４１と連結されているので、回転軸４１にノブ２１を直結する場合に比べて、ノブ２１を設ける位置に自由度を持たせることができる。
【００４７】
図７は、第４実施形態に係るカード処理装置を示しており、（ａ）は側面図、（ｂ）は上面図、（ｃ）は正面図である。図７において、図１および図６と同一の部分または対応する部分には、図１および図６と同じ符号を付してある。
【００４８】
この第４実施形態は、図１の第１実施形態と、図６の第３実施形態とを併用したものであり、筐体１の背面１ａからｚの寸法だけ突出するように設けられたノブ２１と、筐体１の上面１ｂからｚの寸法だけ突出するように設けられたノブ２１を備えている。それぞれのノブに関してはすでに説明したとおりであるので、ここでは重複説明を省略する。
【００４９】
第４実施形態によれば、ノブ２１を２個設け、各ノブ２１が筐体１の異なる面（背面１ａと上面１ｂ）から突出するようにしたので、前述した第１および第３実施形態の利点に加えて、筐体１の背面側と上面側の２方向からの操作が可能になるという利点がある。
【００５０】
本発明では、以上述べた以外にも、種々の実施形態を採用することができる。例えば、図２においては、ノブ２１に一対のレバー２２、２３を設けた例を挙げたが、図８のように、ノブ２１に単一のレバー２２を設けてもよい。図８では、図２と同一の部分または対応する部分に、図２と同一の符号を付してある。図８（ａ）は、レバー２２がスライド溝２７に収納された状態を示し、図８（ｂ）は、レバー２２が径方向（矢印Ｃ方向）へスライドして、ノブ２１から突出した状態を示している。
【００５１】
また、前述した各実施形態では、ノブ２１が筐体１の背面１ａや上面１ｂから突出する例を挙げたが、ノブ２１を筐体１の前面（背面１ａと反対側の面）や下面（上面１ｂと反対側の面）から突出するように設けてもよい。
【００５２】
また、前述した各実施形態では、ノブ２１が筐体１の面から突出している例を挙げたが、ノブ２１を筐体１の背面１ａや上面１ｂ等と同一面（すなわちｚ＝０）となるように設けてもよい。
【００５３】
また、図７の実施形態では、２箇所にノブ２１を設けた例を挙げたが、３箇所以上にノブ２１を設けてもよい。
【００５４】
また、前述した各実施形態では、動力伝達部材としてベルトやプーリーを例に挙げたが、これらに代えてギヤ等を動力伝達部材として用いてもよい。
【００５５】
さらに、前述した各実施形態では、ＡＴＭに搭載されるカード処理装置を例に挙げたが、本発明に係るカード処理装置は、ＡＴＭ以外のカードを取り扱う機器に搭載されるカード処理装置にも適用することができる。
【符号の説明】
【００５６】
１    筐体
１ａ  背面
１ｂ  上面
８    磁気ヘッド
９    ＩＣコンタクトユニット
１０  カード搬送路
２１  ノブ
２２、２３  レバー
２４〜２６  プーリー
３１〜３４  搬送ローラ
４１〜４４  回転軸
５１〜５６  プーリー
１００  カード処理装置
Ｂ１〜Ｂ４  ベルト
Ｍ    モータ
Ｃ    カード
【図１】
2010275077.tif 000003
【図２】
2010275077.tif 000004
【図３】
2010275077.tif 000005
【図４】
2010275077.tif 000006
【図５】
2010275077.tif 000007
【図６】
2010275077.tif 000008
【図７】
2010275077.tif 000009
【図８】
2010275077.tif 000010
【図９】
2010275077.tif 000011
【図１０】
2010275077.tif 000012